(57)【要約】      （修正有）【課題】ＴＶ台固定器のナツトをＴＶ台の上でなく、ＴＶ台の下でできるようにしたＴＶ取付具を提供する。【解決手段】ボルト係止体を備えたボルトへのナツト螺入時に構造材に係合されたボルト係止体はボルトを係止してボルト頭部３１を押さえることなくナツト３３を回転させるだけで固定具を固定可能としたことを特徴とするＴＶ台固定具。【選択図】図８
0003234180.tif 000002
【実用新案登録請求の範囲】
【請求項１】
施工者がＴＶ台の下でナツトを螺入をしてＴＶ台をかべ板材に固定するためボルトとナツトを組み合わせたＴＶ固定具において、
前記ボルトは頭部とネジ部とこれらの間のカベ部からなり、前記ボルトは前記ボルトへの前記ナツト螺入時にボルトの回転を停止させるためのボルト係止体を備えており、
前記ボルト係止体は
その上部に前記ボルトカベ部と係合する係合穴を有しその下部に前記ボルトネジ部が挿通する挿通穴を有しその側部または下部にカベ材に係合することにより前記ボルトカベ部も係止して前記ボルト頭部を押さえることなく前記ナツトを回転させるだけでＴＶを固定可能としたことを特徴とするＴＶ固定具。
【請求項２】
請求項１に記載の前記ボルトはボルトの回転を停止させるための所定の断面形状を有したかべ部と前記ボルトかべ部より小径のネジ部を有することを特徴とするＴＶ固定具。
【請求項３】
請求項１に記載の前記係合手部をＬ形ボルトやステンレス材に係合させるため平板またはＬ型金具としたことを特徴とするＴＶ固定具。
【請求項４】
請求項１に記載の前記係合手部をステンレス材あけられた穴に挿可能な棒形としたことを特徴とするＴＶ固定具。
【請求項５】
請求項１に記載の前記係合手部をＴＶ台、カベ材に係合させるため係合手部の先端を鈎形としたことを特徴とするＴＶ固定具。
【請求項６】
請求項１、２に記載のボルト頭部を山形に成形して亀座金ボルト頭部としたことを特徴としたＴＶ固定具。
【請求項７】
請求項１乃至５に記載のＴＶ固定具においてパツキン押さえ座金は前記ボルトカベ部に係合する係合穴を有しこのパッキン押さえ座金の回転を係止することを特徴とするＴＶ固定具。
【考案の詳細な説明】
【考案の詳細な説明】
【０００１】本考案はＴＶ台に使用されるＴＶ取付具に関するものである。
【０００２】従来実用に供されているＴＶ取付具はＬ字形ボルトを
0003234180.tif 000003
ネジ部にナツトを締めるものである。しかしテレビ台の上でナツトを締める作業は高所作業で危険を伴うため、テレビ台の下でナツト締めをする考案が試みられてきたがどの考案も解決したとは言えない。
【先行技術文献】
【特許文献】
【０００３】
【特許文献１】登録実用新案第３１３０１０２号
【特許文献２】実公昭６２・４０００３号広報
【特許文献３】特許出願平１１・１９４８６８
【特許文献４】実用新案公告昭５３・３６５８５  特許文献２においては、引締め部材１８は梁２０に邪魔されて回らないので課題解決にならない。特許文献３においては押さえ板１とコイル・スプリング５の連結が困難であるしかべ材の大きさに最適の長さと強さのコイル・スプリングを選ぶことも困難である。特許文献４においては半円形の切欠き部４で円柱のボルト７の回転を止められない。
【考案の概要】
【考案が解決しようとする課題】
【０００４】従来のＬ字形をしたボルトのネジ部分をテレビ台の下からテレビ台の穴に挿入し、ステンレス鋼などのボルトＬ字形の曲部を引っかけた状態でテレビ台の上に突き出たネジ部をナツトで締め付けてカベ板に固定するテレビ台設置方法には以下のような問題がある。
テレビ台の上に突き出たナツトを締めるために施行者はテレビ台より上に上半身を乗り出した体勢でテレビ台を両腕で抱きかかえながら片手でテレビ台の下からボルトをテレビ台の穴に入れてかつ構造材に引っかけた状態を保ちつつ他方の手でテレビ台の上からナツトを締めなければならないのでとても困難な作業で危険である。
複数の施行者でテレビ台設置作業をする場合も誰れかが構造物の上に乗り締めなければならない。どちらも高所作業が必要であり危険である。【０００５】Ｌ字形をしたボルトのネジ部分とＬ形取付け具を組み合わせたかたちをなし備え、Ｌ形取付け具の素材にはチタンを使用する事で非常な弾力性があり必要不可決である。
【課題を解決するための手段】
【０００６】施行者がテレビ台の下でナツトを螺入してテレビ台を構造材に固定するためボルトとナツトを有するＴＶ台固定具において、前記ボルトは頭部とネジ部とこれらの間のへき面からなり、前記ボルトは頭部とネジ部とこれらの間のへき面からなり、前記ボルトは前記ボルトへの前記ナツト螺入時に前記ボルトの回転を停止させるためのボルト係止体を備えており、前記ボルト係止体はその上部に前記ボルトネジ部が挿通する挿通穴を有しその側部または下部に構造体は係止し前記係合穴に挿入している前記ボルトへき面も係止して前記ボルト頭部を押さえることなく前記ナツトを回転させるだけでテレビ台を固定可能とした。【０００７】前記ボルトはボルトの回転を停止させるための所定の断面形状を有したへき面部と前記ボルトへき面部の上方で前記ボルトへき面部の下方で前記ボルトへき面部より小径のネジ部を有する【０００８】ボルト柱部１１の断面の形状は係合穴１５と係合したボルト１１自身の回転を係止できる形状を有すればよいのであって正方形、長方形、長方形の短辺が曲線になった形、三角形、半円形など直線を有する形であれば良い、またそれは凹形のような窪みがある断面形でも良い。ハート形のように直線部がない断面形であってもボルト柱部１１を糸で一周させたときできる閉曲線が１つ以上の直線部を有するならば良い。【０００９】パッキン押さえ座金３２の穴と係合穴１３〜２４はボルト柱部１２と係合する形状であればよいので柱部１２の断面の形と同じ形でなくても良い。
説明をわかり易くするため説明や図面において柱部１２の断面形とパツキン押さえ座金の穴と係合穴３３は正方形あるいは長方形とした。【００１０】ＴＶ固定のためのナツト締め作業を施工者はＴＶ台の下で行うことができるのでＴＶ台の上に身体を持ち上げる必要がないため大幅に安全な設置作業となる。それゆえ作業効率も向上する。一人でも容易に作業をすることができる。
施工者は固定しようとする当該ＴＶ台の真下で作業ができるから上述の最後の一枚問題を解消する。パッキン押さえ座金を使用する場合、不透明なＴＶ台であってもパッキン押さえ座金の向きとＴＶ台の山の向きをＴＶ台の下で容易に一致させられさらに向きを維持できる。
【考案を実施するための形態】
【００１１】解決しようとする課題の本質的問題はＴＶ台固定具はけん造物内に於ける小部屋、大広間においてＴＶ固定のためのナツト締め作業を施工者はＴＶ台の下で行うことができる。ステンレス製のＬ型金具とＬ型ボルト、座金の付いたネジをそれぞれ２個づつである組み合わせであることから成り立つ。
【００１２】また不透明なＴＶ台のようにＴＶ台の下からパツキン押さえ座金の向きを視認できなくてもボルトの目印を見ることによりＴＶ台の向きとパッキン押さえ座金の向きをＴＶの下で一致させられる。
【００１３】異なる設置作業例としてＴＶ台に自然的災害による被害があるときなら２個少し地振が強いときがあるなら４個の穴をあけ、本考案ＴＶ台固定具をこれらの穴に取付けてステンレス鋼材に載せてＴＶ台を仮留めし、そして穴をあけた位置に印を付けてステンレス材金具からＴＶ台を降ろし、下準備１以下の作業を続行する。以上どの作業実施例においても、ＴＶ台と施工者の位置関係は常にＴＶ台が上で施工者は下である。
【００１４】取付作業の補足説明下準備２終了後ボルト１に係止体とナツトも挿入してあるのでボルト１はＴＶ台から抜け落ちないから、ステンレス材にＴＶ台を容易に載せることができる。このときステンレス材の上に出る施工者の身体はひじまでである。
ボルト目印はＴＶ台山形方向に向いていることを確認する。そうでないときはＴＶ台の下でパッキン押さえ座金の向きをＴＶ台の下で一致させられる。
【００１５】本考案ＴＶ台固定具による設置作業実施例を具体的に説明する。必須ではないがパッキン押さえ座金を使用することとする。パッキン押さえ座金の向きをＴＶ台の山形の向きと合わせるためボルト１の柱部１２にパッキ押さえ座金の山の向きに縦線の目印を付けておく。
（下準備１）ＴＶ台にあるＴＶに必要数の穴をあける。必要数のボルト１にパツキン押さえ座金とパツキンを通す。
（下準備２）ボルト１に続けてＴＶとＴＶと係止体２５を通し、ナツト３３を螺入する。
（取付作業）ステンレス材６にＴＶを載せ、ボルト１の目印の位置を視認し、係合手部１５をステンレス材３４引っかけナット３３を締めて完子。
【図面の簡単な説明】
【００１６】
【図１】ボルト１の断面図と斜視図
【図２】亀座金形頭のボルト２の断面図と斜視図
【図３】下部に曲板係合手部１６ａを有する係止体１５の斜視図
【図４】下部に曲板係合手部１６ｂを有する係止体１９の斜視図
【図５】下部に曲板係合手部１６Ｃを有する係止体２２の斜視図
【図６】下部に曲板係合手部１６ｄを有する係止体２５の斜視図
【図７】本考案ＴＶ台固定具でステンレスＳＵＳ３０４の構造材を固定した設置例の斜視図の断面図
【００１７】下準備１、２の補足説明ボルト１の目印をパッキン押さえ座金１５の山方向に合わせて挿入する。【００１８】下準備１、２は机上や床などで作業しやすい安全な場所で行うことができる。【００１９】ＴＶをかべに完全に固定するためボルトとナツトを有するＴＶ台固定具においてボルト頭部とネジ部とこれらの間の柱部からなり、Ｌ型ボルトを使用する。
金属ひ労からなる時２〜４個のボルトを使用し、ステンレス綱ＳＵＳ３０４を取り扱い使用する。【００２０】ＴＶ台固定具としては、ＴＶの側面にＬ型金具、Ｌ型ボルト、ナツトをそれぞれ組み合わせもち、ＴＶ台固定具が破壊しない様に、又、ＴＶが落下することがないようにすることがのぞましい。【００２１】重いＴＶの場合、フオークリフトを使用して行い、ネジ類の固定をするときはかり留めを行いそれから準じに主要なネジやボルトを締めるようにする。それから最後に主電源用の電源をコンセントにさし込みリモコン操作により重要視して行うこととする。作業員の数としては３人〜４人で行うこととする。
【符号の説明】
【００２２】Ｌ型ボルト  １１〜１２  亀座金形頭のボルト  ２  係止体  １６ａ
１３、１４、ネジ部  係止体  １６ｂ  １７、１８  ネジ部  係止体  １６Ｃ
２０、２１  ネジ部  係止体  １６ｄ  ネジ部  ２３、２４
係止体  穴  １５、１９、２２、２５  本考案ＴＶ台固定具
Ｌ型固定具  ３５、３６  ネジ部  ３１  Ｌ型ボルト頭部
３２  パツキン押さえ座金  断面図と斜視図  ３３  ナツト
図７  ネジ  ２６、２７、２８、２９、３０
選択図
図８
【図１】
0003234180.tif 000004
【図２】
0003234180.tif 000005
【図３】
0003234180.tif 000006
【図４】
0003234180.tif 000007
【図５】
0003234180.tif 000008
【図６】
0003234180.tif 000009
【図７】
0003234180.tif 000010
【図８】
0003234180.tif 000011
【手続補正書】
【提出日】令和3年6月25日(2021.6.25)
【手続補正２】
【補正対象書類名】明細書
【補正対象項目名】００１６
【補正方法】変更
【補正の内容】
【００１６】
【図１】立面図
【図２】立面図
【図３】平面図
【図４】平面図
【図５】平面図
【図６】（１）平面図  （２）側面図
【図７】側面図
【図８】側面図